(57)【要約】【課題】通信端末への通信相手の顔写真の登録を容易に行うこと。【解決手段】通信端末１０において、写真選択部１２は、通信相手の電話番号が電話帳データ記憶部１３に登録されていない場合には、入力された動画像を基に写真データ記憶部１４を参照し、入力された動画像と、写真データ記憶部１４に記憶された複数の写真とを比較し、写真データ記憶部１４に記憶された複数の写真の中から、入力された動画像に含まれる顔画像と同一または類似の顔画像を含む写真を選択して画像生成部１５に出力し、画像生成部１５は、入力された写真において通信相手の顔画像を強調表示させた写真を生成し、通信相手の電話番号、通信相手の動画像、及び、生成した強調写真を表示部１６に同時に表示させ、電話帳登録部１８は、操作部１７を介して利用者から登録指示がなされた場合に、強調写真を通信相手の電話番号に対応づけて電話帳データ記憶部１３に登録する。【選択図】図１
2014022784.tif 000002
【特許請求の範囲】
【請求項１】
プロセッサを有する通信端末であって、
前記プロセッサは、
通信端末に記憶された複数の写真の中から、通信中にある相手通信端末から受信した画像に含まれる第１の部分画像に応じて第２の部分画像を含む画像を選択し、
選択された前記画像を前記相手通信端末の固有の識別子に対応づけて当該通信端末に登録する
ことを特徴とする通信端末。
【請求項２】
前記登録は、選択された前記画像において前記第２の部分画像を強調表示させた画像を当該通信端末に登録する、
請求項１に記載の通信端末。
【請求項３】
前記選択は、前記第２の部分画像を含む画像が複数存在する場合、それら複数の画像のうち、最も大きい前記第２の部分画像を含む画像を選択する、
請求項１または２に記載の通信端末。
【請求項４】
通信端末に記憶された複数の写真の中から、通信中にある相手通信端末から受信した画像に含まれる第１の部分画像に応じて第２の部分画像を含む画像を選択し、
選択された前記画像を前記相手通信端末の固有の識別子に対応づけて当該通信端末に登録する
ことを特徴とする写真登録方法。
【請求項５】
通信端末に記憶された複数の写真の中から、通信中にある相手通信端末から受信した画像に含まれる第１の部分画像に応じて第２の部分画像を含む画像を選択し、
選択された前記画像を前記相手通信端末の固有の識別子に対応づけて当該通信端末に登録する
処理をプロセッサに実行させることを特徴とする写真登録プログラム。
【発明の詳細な説明】
【技術分野】
【０００１】
本発明は、通信端末、写真登録方法及び写真登録プログラムに関する。
【背景技術】
【０００２】
従来、携帯電話等の通信端末には、着信があったときに、通信相手の電話番号に基づいて、予め通信端末に登録された通信相手の顔写真をディスプレイに表示するものがある。これにより、通信端末の利用者（以下では、「利用者」と省略して呼ぶ）は、誰から着信があったのかを認識するのが容易になる。
【先行技術文献】
【特許文献】
【０００３】
【特許文献１】特開２００５−２７８０１８号公報
【特許文献２】特開２００１−０２４７７６号公報
【発明の概要】
【発明が解決しようとする課題】
【０００４】
しかしながら、通信端末の電話帳に登録される電話番号の数、及び、通信端末に記憶される写真の数は多い。このため、利用者が電話番号毎に目視により通信相手の顔写真を選択して電話番号に対応付けて登録することは、利用者にとって手間がかかる。
【０００５】
開示の技術は、上記に鑑みてなされたものであって、通信端末への通信相手の顔写真の登録を容易に行うことができる通信端末、写真登録方法及び写真登録プログラムを提供することを目的とする。
【課題を解決するための手段】
【０００６】
開示の態様の通信端末は、プロセッサを有する通信端末であって、前記プロセッサは、通信端末に記憶された複数の写真の中から、通信中にある相手通信端末から受信した画像に含まれる第１の部分画像に応じて第２の部分画像を含む画像を選択し、選択された前記画像を前記相手通信端末の固有の識別子に対応づけて当該通信端末に登録する。
【発明の効果】
【０００７】
開示の態様によれば、通信端末への通信相手の顔写真の登録を容易に行うことができる。
【図面の簡単な説明】
【０００８】
【図１】図１は、実施例１の通信端末の一例を示す機能ブロック図である。
【図２】図２は、実施例１の通信端末の動作の説明に供するフローチャートである。
【図３】図３は、実施例１の通信端末の処理の説明に供する図である。
【図４】図４は、実施例１の通信端末の処理の説明に供する図である。
【図５】図５は、実施例２の通信端末の動作の説明に供するフローチャートである。
【図６】図６は、実施例２の通信端末の処理の説明に供する図である。
【図７】図７は、実施例２の通信端末の処理の説明に供する図である。
【図８】図８は、通信端末のハードウェア構成例を示す図である。
【発明を実施するための形態】
【０００９】
以下に、本願の開示する通信端末、写真登録方法及び写真登録プログラムの実施例を図面に基づいて詳細に説明する。なお、この実施例により本願の開示する通信端末、写真登録方法及び写真登録プログラムが限定されるものではない。また、実施例において同一の機能を有する構成には同一の符号を付し、重複する説明は省略される。
【００１０】
［実施例１］
＜通信端末の構成＞
図１は、実施例１の通信端末の一例を示す機能ブロック図である。図１において、通信端末１０は、通信判定部１１と、写真選択部１２と、電話帳データ記憶部１３と、写真データ記憶部１４と、画像生成部１５と、表示部１６と、操作部１７と、電話帳登録部１８とを有する。
【００１１】
通信判定部１１は、入力される受信信号に基づいて、通信端末１０に着信した通信（以下では、「着信通信」と省略して呼ぶ）が音声通信か否か判定する。また、通信判定部１１は、着信通信が音声通信である場合、その音声通信が動画像が付随する音声通信であるか否か判定する。動画像が付随する音声通信として、例えばテレビ電話通信がある。また、動画像が付随する音声通信には、通信相手の部分画像を含む動画像、例えば、通信相手の顔画像を含む動画像が付随する。
【００１２】
通信判定部１１は、着信通信が、例えば文字データのみの通信等、音声通信でない場合は、受信信号に基づいた表示を表示部１６に行う。
【００１３】
また、通信判定部１１は、着信通信が動画像が付随しない音声通信である場合は、受信信号から通信相手の電話番号を取得し、その電話番号を基に電話帳データ記憶部１３を参照する。通信判定部１１は、通信相手の電話番号に対応づけて電話帳データ記憶部１３に記憶されている、通信相手の部分画像を含む写真、例えば、通信相手の顔画像を含む写真を電話帳データ記憶部１３から取得する。そして、通信判定部１１は、通信相手の電話番号と通信相手の顔画像を含む写真とを同時に表示部１６に表示させる。
【００１４】
また、通信判定部１１は、着信通信が動画像が付随する音声通信である場合は、受信信号から、通信相手の電話番号及び動画像を取得し、それらを写真選択部１２及び画像生成部１５に出力する。また、通信判定部１１は、取得した電話番号を電話帳登録部１８に出力する。
【００１５】
写真選択部１２は、入力された電話番号に基づいて電話帳データ記憶部１３を参照し、通信相手の電話番号が電話帳データ記憶部１３に登録されているか否か判断する。ここで、通信相手の電話番号が登録されている場合とは、着信通信の通信相手の電話番号が登録され、かつ、その電話番号に対応づけて特定の写真が登録されている場合である。一方で、通信相手の電話番号が登録されていない場合とは、（１）着信通信の通信相手の電話番号が登録されていない場合、または、（２）着信通信の通信相手の電話番号は登録されているが、その電話番号に対応づけて特定の写真が登録されていない場合である。
【００１６】
写真選択部１２は、通信相手の電話番号が電話帳データ記憶部１３に登録されていない場合には、入力された動画像を基に写真データ記憶部１４を参照する。写真選択部１２は、入力された動画像、すなわち、現在通信中にある通信相手の動画像と、写真データ記憶部１４に記憶された複数の写真とを比較する。そして、写真選択部１２は、写真データ記憶部１４に記憶された複数の写真の中から、入力された動画像に含まれる部分画像としての顔画像と同一または類似の部分画像を含む写真を選択する。写真選択部１２は、選択した写真を画像生成部１５に出力する。なお、写真選択部１２でのこのような比較選択処理は、例えば、「パターン認識における主成分分析  ―顔画像認識を例として−，（株）ＮＴＴデータ  坂野  鋭，統計数理（２００１）第４９巻第１号２３−４２頁，受付２０００年１０月１６日，改訂２００１年４月２３日」に開示の技術を用いて行うことが可能である。
【００１７】
一方で、写真選択部１２は、通信相手の電話番号が電話帳データ記憶部１３に登録されている場合には、上述した比較選択処理を行わない。
【００１８】
画像生成部１５は、入力された写真、すなわち、写真選択部１２により選択された写真において通信相手の部分画像として通信相手の顔画像を強調表示させた写真（以下では、「強調写真」と呼ばれることがある）を生成する。画像生成部１５は、生成した強調写真を電話帳登録部１８に出力する。また、画像生成部１５は、通信相手の電話番号、通信相手の動画像、及び、生成した強調写真を表示部１６に同時に表示させる。また、画像生成部１５は、表示部１６に登録確認ボタンを表示させて、利用者への登録確認を行う。
【００１９】
電話帳登録部１８は、操作部１７を介して利用者から登録指示がなされた場合に、強調写真を通信相手の電話番号に対応づけて電話帳データ記憶部１３に登録する。
【００２０】
電話帳データ記憶部１３は、複数の電話番号、及び、それら複数の電話番号にそれぞれ対応づけられた複数の写真をデータして記憶する。
【００２１】
写真データ記憶部１４は、複数の写真をデータとして記憶する。写真データ記憶部１４に記憶されている写真は、利用者が、通信端末１０に備えられたカメラ（図示せず）を用いて過去に撮影した写真、または、通信相手から送信されて取得された写真等である。
【００２２】
なお、１つの記憶部が、電話帳データ記憶部１３及び写真データ記憶部１４の双方を含む構成をとってもよい。
【００２３】
＜通信端末の動作＞
図２は、実施例１の通信端末の動作の説明に供するフローチャートである。なお、図２には、電話帳データ記憶部１３への写真の登録に関わる処理のみを示す。
【００２４】
まず、通信判定部１１は、着信通信が音声通信か否か判定する（ステップＳ２０１）。着信通信が音声通信である場合は（ステップＳ２０１：Ｙｅｓ）、通信判定部１１は、その音声通信が、動画像が付随する音声通信であるか否か判定する（ステップＳ２０２）。
【００２５】
着信通信が動画像が付随する音声通信である場合は（ステップＳ２０２：Ｙｅｓ）、写真選択部１２は、通信相手の電話番号が電話帳データ記憶部１３に登録されているか否か判断する（ステップＳ２０３）。
【００２６】
通信相手の電話番号が電話帳データ記憶部１３に登録されていない場合は（ステップＳ２０３：Ｙｅｓ）、写真選択部１２は、現在通信中にある通信相手の動画像と、写真データ記憶部１４に記憶された複数の写真とを比較する。すなわち、写真選択部１２は、現在通信中にある通信相手の動画像と同一または類似の顔画像を含む写真が写真データ記憶部１４にあるか否か判断する（ステップＳ２０４）。
【００２７】
同一または類似の顔画像を含む写真が写真データ記憶部１４にある場合は（ステップＳ２０４：Ｙｅｓ）、写真選択部１２は、複数の写真の中から、同一または類似の顔画像を含む写真を選択する（ステップＳ２０５）。
【００２８】
ここで、写真データ記憶部１４に、同一または類似の顔画像を含む写真が複数存在する場合、すなわち、選択候補が複数存在する場合は、写真選択部１２は、それら複数の選択候補のうち、通信相手の最も大きい顔画像を含む写真を選択する。
【００２９】
画像生成部１５は、ステップＳ２０５で選択された写真において通信相手の顔画像を強調表示させた写真を生成する（ステップＳ２０６）。
【００３０】
ここで、ステップＳ２０５において選択された写真に通信相手以外の人物の顔画像が含まれない場合は、選択された写真において利用者が通信相手の顔を識別するのは容易である。そこで、この場合は、画像生成部１５は、強調表示させた写真を生成しなくてもよい。つまり、ステップＳ２０５において選択された写真に、通信相手以外の人物の顔画像が含まれない場合は、ステップＳ２０６の処理を省いてもよい。
【００３１】
但し、ステップＳ２０５において選択された写真に通信相手以外の人物の顔画像が含まれない場合でも、通信相手の顔画像の大きさが所定の大きさより小さい場合には、通信相手の顔を識別し易くするために、通信相手の顔画像を強調表示するのが好ましい。
【００３２】
画像生成部１５は、通信相手の電話番号、通信相手の動画像、及び、強調写真を表示部１６に同時に表示させる（ステップＳ２０７）。但し、ステップＳ２０６の処理が省かれる場合には、画像生成部１５は、写真選択部１２から入力された写真、つまり、ステップＳ２０５において選択された写真をそのまま表示部１６に表示させる。なお、ステップＳ２０７において、画像生成部１５は、通信相手の電話番号を表示部１６に表示させなくてもよい。つまり、本実施例においては、画像生成部１５は、少なくとも、通信相手の動画像と、通信相手の顔画像が含まれる写真とを表示部１６に同時に表示させればよい。
【００３３】
画像生成部１５は、表示部１６に登録確認ボタンを表示させて、利用者への登録確認を行う（ステップＳ２０８）。
【００３４】
電話帳登録部１８は、利用者から登録指示がなされたか否か判断する（ステップＳ２０９）。電話帳登録部１８は、利用者から登録指示がなされた場合は（ステップＳ２０９：Ｙｅｓ）、画像生成部１５から入力された写真を通信相手の電話番号に対応づけて電話帳データ記憶部１３に登録する（ステップＳ２１０）。
【００３５】
なお、ステップＳ２０１：Ｎｏ、ステップＳ２０２：Ｎｏ、ステップＳ２０３：Ｎｏ、ステップＳ２０４：Ｎｏ、または、ステップＳ２０９：Ｎｏの場合は、図２に示す一連の処理は終了する。
【００３６】
＜通信端末の処理＞
図３及び図４は、実施例１の通信端末の処理の説明に供する図である。なお、図３及び図４には、画像生成部１５が強調写真を生成する場合を示す。
【００３７】
図３に示すように、写真選択部１２は、現在通信中にある通信相手の動画像３１と、写真データ記憶部１４に記憶された複数の写真とを比較する。写真選択部１２は、複数の写真の中から、現在通信中にある通信相手の動画像３１と同一または類似の顔画像を含む写真３２を選択する。
【００３８】
画像生成部１５は、写真選択部１２によって選択された写真において通信相手の顔画像を強調表示させた写真３３（強調写真）を生成する。なお、図３では、通信相手の顔画像に矩形枠を付加することによって通信相手の顔画像を強調表示する例を示す。しかし、通信相手の顔画像の強調表示の方法は、図３に示す例に限定されない。例えば、通信相手の顔画像を他の顔画像よりも大きく表示する、または、通信相手の顔画像を他の顔画像よりも明るく表示する等の方法によって、通信相手の顔画像を強調表示してもよい。
【００３９】
画像生成部１５は、通信相手の電話番号３４、通信相手の動画像３１、及び、強調写真３３を表示部１６に同時に表示させる。また、画像生成部１５は、登録確認ボタン３５−１，３５−２を表示部１６に表示させる。
【００４０】
電話帳登録部１８は、利用者によって「登録する」ボタン３５−１がタッチされることにより利用者から登録指示がなされた場合は、強調写真３３を通信相手の電話番号３４に対応づけて電話帳データ記憶部１３に登録する。一方、電話帳登録部１８は、利用者によって「登録しない」ボタン３５−２がタッチされた場合は、強調写真３３を電話帳データ記憶部１３に登録しない。
【００４１】
そして、着信通信が動画像が付随しない音声通信である場合は、通信判定部１１は、図４に示すように、通信相手の電話番号３４と、その電話番号３４に対応付けて電話帳データ記憶部１３に記憶されている強調写真３３とを同時に表示部１６に表示させる。また、通信判定部１１は、着信された通信に応答するか否かを利用者に確認するためのボタン４１−１，４１−２を表示部１６に表示させる。利用者によって「応答する」ボタン４１−１がタッチされた場合は通信が継続する。利用者によって「拒否する」ボタン４１−２がタッチされた場合は通信が終了する。
【００４２】
なお、上記説明では、通信相手の電話番号が、通信相手の固有の識別子として用いられる場合を例示した。しかし、通信相手の固有の識別子は、通信相手の電話番号に限定されない。例えば、通信相手の名前、または、通信相手のE-mailアドレス等を、通信相手の固有の識別子として用いてもよい。
【００４３】
以上のように本実施例によれば、通信端末１０において、写真選択部１２は、通信端末１０に記憶された複数の写真の中から、現在通信中にある通信相手の動画像に含まれる部分画像、例えば、顔画像と同一または類似の部分画像を含む写真を選択する。電話帳登録部１８は、選択された写真を通信相手の固有の識別子に対応づけて通信端末１０に登録する。これにより、通信端末１０に記憶された複数の写真の中から通信相手の部分画像を含む写真、例えば、通信相手の顔画像を含む写真の選択を自動的に行うことができるため、固有の識別子に対応づけた写真の登録を容易に行うことができる。また、通話中の動画像は一般に写真よりも画質が劣る。このため、通信端末１０に記憶された複数の写真の中のいずれかの写真を選択して登録することにより、通話中の動画像をキャプチャするよりも画質に優れた写真を固有の識別子に対応づけて登録することができる。
【００４４】
また、画像生成部１５は、選択された写真において上記同一または類似の部分画像を強調表示させた写真（強調写真）を生成する。電話帳登録部１８は、強調写真を通信相手の固有の識別子に対応づけて通信端末１０に登録する。これにより、利用者は、通信端末１０の着信時に表示部１６に表示される写真において、通信相手をより識別し易くなる。また、通信相手の部分画像を強調表示することにより、選択された写真に複数の人物の画像が含まれる場合でも、通信相手の識別性を高めることができる。
【００４５】
また、写真選択部１２は、選択候補が複数存在する場合、それら複数の選択候補のうち、通信相手の最も大きい部分画像、例えば、通信相手の最も大きい顔画像を含む写真を選択する。これにより、複数の選択候補において通信相手を最も識別し易い写真を選択することができる。
【００４６】
また、画像生成部１５は、通信相手の動画像と登録対象の写真とを登録処理がなされる前に表示部１６に同時に表示させる。電話帳登録部１８は、登録指示がなされた場合に登録処理を行う。これにより、利用者は、通信相手と、登録対象の写真とを登録前に見比べた後に、登録対象の写真を通信端末１０に登録することが可能になる。すなわち、利用者は、選択された写真に含まれる部分画像が通信相手の部分画像か否か比較・確認した後にその写真を通信端末１０に登録することが可能になる。このため、通信相手を含まない誤った写真が通信相手の固有の識別子に対応づけて通信端末１０に登録されてしまうことを防ぐことができる。
【００４７】
また、通信判定部１１は、着信通信が、動画像が付随する音声通信であるか否か判定し、着信通信が動画像が付随しない音声通信である場合に、電話帳登録部１８によって登録された写真を表示部１６に表示させる。これにより、利用者は、着信通信が動画像が付随しない音声通信である場合、すなわち、着信通信が音声のみの通信である場合でも、誰から着信があったのかを認識するのが容易になる。
【００４８】
［実施例２］
実施例２では、電話帳登録部１８が、写真選択部１２によって選択された写真の作者名を、通信相手の電話番号に対応づけて登録する。なお、本実施例の通信端末の構成は、実施例１のものと同様であるので、本実施例では通信端末の構成についての説明は省略する。
【００４９】
＜通信端末の動作＞
図５は、実施例２の通信端末の動作の説明に供するフローチャートである。
【００５０】
ステップＳ２０５において選択された写真には、作者名が付随していることがある。すなわち、写真データの中には、その写真を撮影した人物の名前が含まれるものがある。例えば、Exif形式の写真データには、作者名を記録する項目がある。
【００５１】
そこで、画像生成部１５は、通信相手の電話番号、通信相手の動画像、強調写真、及び、その写真の作者名を表示部１６に同時に表示させる（ステップＳ５０１）。但し、ステップＳ２０６の処理が省かれる場合には、実施例１と同様、画像生成部１５は、写真選択部１２から入力された写真、つまり、ステップＳ２０５において選択された写真をそのまま表示部１６に表示させる。なお、実施例１と同様、ステップＳ２０７において、画像生成部１５は、通信相手の電話番号を表示部１６に表示させなくてもよい。つまり、本実施例においては、画像生成部１５は、少なくとも、通信相手の動画像と、通信相手の顔画像が含まれる写真と、その写真の作者名とを表示部１６に同時に表示させればよい。
【００５２】
＜通信端末の処理＞
図６及び図７は、実施例２の通信端末の処理の説明に供する図である。なお、図６及び図７には、画像生成部１５が強調写真を生成する場合を示す。
【００５３】
図６に示すように、画像生成部１５は、通信相手の電話番号３４、通信相手の動画像３１、強調写真３３、及び、写真３２の作者名６１を表示部１６に同時に表示させる。また、画像生成部１５は、登録確認ボタン６２−１，６２−２，６２−３を表示部１６に表示させる。
【００５４】
電話帳登録部１８は、利用者によって「名前付きで登録する」ボタン６２−１がタッチされることにより利用者から登録指示がなされた場合は、強調写真３３及び作者名６１の双方を通信相手の電話番号３４に対応づけて電話帳データ記憶部１３に登録する。また、電話帳登録部１８は、利用者によって「名前無しで登録する」ボタン６２−２がタッチされることにより利用者から登録指示がなされた場合は、作者名６１を登録せずに、強調写真３３のみを通信相手の電話番号３４に対応づけて電話帳データ記憶部１３に登録する。一方、電話帳登録部１８は、利用者によって「登録しない」ボタン６２−３がタッチされた場合は、強調写真３３及び作者名６１の双方を電話帳データ記憶部１３に登録しない。
【００５５】
そして、着信通信が動画像が付随しない音声通信である場合は、通信判定部１１は、図７に示すように、通信相手の電話番号３４と、その電話番号３４に対応付けて電話帳データ記憶部１３に記憶されている、強調写真３３及び作者名６１とを同時に表示部１６に表示させる。
【００５６】
以上のように本実施例によれば、通信端末１０において、電話帳登録部１８は、写真選択部１２によって選択された写真の作者名を通信相手の固有の識別子に対応づけて通信端末１０に登録する。これにより、通信相手の固有の識別子に対応づけた通信相手の名前の登録を容易に行うことができる。
【００５７】
［他の実施例］
＜通信端末のハードウェア構成＞
実施例１，２の通信端末１０は次のようなハードウェア構成により実現することができる。図８は、通信端末のハードウェア構成例を示す図である。
【００５８】
図８に示すように、通信端末１０は、ハードウェアの構成要素として、アンテナ１０ａと、ＲＦ（Radio  Frequency）回路１０ｂと、ＤＳＰ（Digital  Signal  Processor）１０ｃと、スピーカ１０ｄと、マイク１０ｅと、タッチパネル１０ｆと、ＬＣＤ（Liquid  Crystal  Display）等のディスプレイ１０ｇと、ＣＰＵ（Central  Processing  Unit）１０ｈと、メモリ１０ｉと、カメラ１０ｊとを有する。メモリ１０ｉは、例えば、ＳＤＲＡＭ等のＲＡＭ、ＲＯＭ、フラッシュメモリにより構成される。
【００５９】
通信判定部１１と、写真選択部１２と、画像生成部１５と、電話帳登録部１８とは、ＣＰＵ１０ｈ等の集積回路により実現される。表示部１６は、ディスプレイ１０ｇにより実現される。操作部１７は、タッチパネル１０ｆにより実現される。電話帳データ記憶部１３と、写真データ記憶部１４とは、メモリ１０ｉにより実現される。
【００６０】
＜プログラム＞
実施例１，２において説明した各種の処理は、予め用意されたプログラムをＣＰＵ１０ｈに実行させることによっても実現できる。すなわち、通信判定部１１と、写真選択部１２と、画像生成部１５と、電話帳登録部１８とによって実行される各処理に対応するプログラムが予めメモリ１０ｉに記憶され、各プログラムがＣＰＵ１０ｈへ読み出されてプロセスとして機能してもよい。また、各プログラムは、必ずしも予めメモリ１０ｉに記憶される必要はない。すなわち、例えば、通信端末１０に接続可能なフレキシブルディスク（ＦＤ）、ＣＤ−ＲＯＭ、ＭＯディスク、ＤＶＤディスク、光磁気ディスク、ＩＣカード、メモリカード等の可搬の記録媒体に各プログラムが予め記録され、各プログラムがＣＰＵ１０ｈへ読み出されてプロセスとして機能してもよい。また例えば、インターネット、ＬＡＮ、ＷＡＮ等を介して無線または有線により通信端末１０に接続されるコンピュータまたはサーバ等に各プログラムが予め記憶され、各プログラムがＣＰＵ１０ｈへ読み出されてプロセスとして機能してもよい。
【符号の説明】
【００６１】
１０  通信端末
１１  通信判定部
１２  写真選択部
１３  電話帳データ記憶部
１４  写真データ記憶部
１５  画像生成部
１６  表示部
１７  操作部
１８  電話帳登録部
【図１】
2014022784.tif 000003
【図２】
2014022784.tif 000004
【図３】
2014022784.tif 000005
【図４】
2014022784.tif 000006
【図５】
2014022784.tif 000007
【図６】
2014022784.tif 000008
【図７】
2014022784.tif 000009
【図８】
2014022784.tif 000010